(57)【特許請求の範囲】
【請求項１】
温室骨組材に懸架されカーテン駆動ワイヤを案内すべき２個の滑車と、２個の滑車を両端部に具備する中空状の滑車軸と、滑車軸を貫通して前記温室骨組材に懸架されるべき支持梁部材と、滑車軸とその両側の滑車を上方から覆う吊り滑車枠体と、該吊り滑車枠体と滑車軸を支持する開閉円筒軸受部を下側に一体に具備し前記支持梁部材に連結される懸架枠体とからなる温室カーテンの吊り滑車装置において、前記吊り滑車枠体に、下側から滑車を装着することができるように開口した底部と、底部の中央において滑車軸の中央部の上半分が嵌着する軸受枠部と、軸受枠部の両側の滑車カバー部とを設けると共に、前記軸受枠部の中央上部に前記開閉円筒軸受部を下側に一体に具備する懸架枠体を挿通し得る挿通孔を設け、更に、滑車カバー部の内側枠部と外側枠部は、滑車軸の上面部を軸受していると共に、外側枠部の下側のスカート枠部は滑車軸の両端部の挿入ガイド枠として軸方向に膨出して設けてあり、また、滑車カバー部の内側枠部と外側枠部との中間には、滑車の上方が開放したワイヤ挿通溝を設けてあり、両側の滑車に２本のカーテン駆動ワイヤをそれぞれ上方から掛け渡して案内するように構成してある温室カーテンの吊り滑車装置。
【請求項２】
請求項１に記載の温室カーテンの吊り滑車装置において、懸架枠体が二枚の薄板状の懸架枠体４７，４８からなり、その下端部の下に底部に円管状の滑車軸２６を挿通し得る開閉円筒軸受部４６を一体に具備しており、開閉円筒軸受部４６に滑車軸２６を挿通して、懸架枠体４７，４８の下端部を合致させるようにして懸架枠体４７，４８を密着させると、開閉円筒軸受部４６が円管状に閉じてその内面において滑車軸２６を固定することができるように構成してある温室カーテンの吊り滑車装置。
【請求項３】
請求項２に記載の温室カーテンの吊り滑車装置において、開閉円筒軸受部４６及び懸架枠体４７，４８が、ばね弾性を有する一枚の板を屈曲して一体に成形してなる温室カーテンの吊り滑車装置。
【請求項４】
請求項１、２又は３に記載の温室カーテンの吊り滑車装置において、開閉円筒軸受部４６により滑車軸２６の中央部を支持し、滑車軸部２６の両側に滑車２５を回転自在に装着して、懸架枠体４７，４８を密着するように合致させて、軸受枠部２１の挿通孔２１ａを挿通させ、開閉円筒軸受部４６の上面を軸受枠部２１に密着させると、滑車２５は軸受枠部２１の両側の滑車カバー部２４に周囲を覆われて装着されるように構成してある温室カーテンの吊り滑車装置。
【請求項５】
請求項１乃至４のいずれかに記載の温室カーテンの吊り滑車装置において、滑車２５のほぼ１８０°の角度に渡って上方が開放したワイヤ挿通溝が設けてある温室カーテンの吊り滑車装置。
【発明の詳細な説明】
【０００１】
【発明の属する技術分野】
本発明は、温室カーテン等の吊り滑車装置に関する。
【０００２】
【従来の技術】
図７又は図８において、カーテン駆動ワイヤ３０は、温室６１内の一方の壁面６２付近の温室骨組材２２に設けた軸受部材５９の軸受５８により軸受されたカーテン駆動軸６０に固定した駆動ドラム５７と、温室６１内の他方の壁面６３に固定した滑車６４との間に、一方の壁面６２に設けた中継滑車５３，５６、温室６１の支柱６５に設けた中間滑車５４，５５を介してほぼ平行に２本に分かれて無端環状に巻掛けてあり、図７において、駆動ドラム５７が矢票Ｃ方向に回転すると、一方のワイヤ３０は矢票Ａ方向に、他方のワイヤ３０はその逆の矢票Ｂ方向に移動することとなり、逆に、駆動ドラム５７が反矢票Ｃ方向に回転すると、一方のワイヤ３０は反矢票Ａ方向に、他方のワイヤ３０はその逆の反矢票Ｂ方向に移動することとなる。
【０００３】
カーテン駆動ワイヤ３０には、直交して、カーテン端固定部材１０が、それぞれ上下に分けてクリップ３１，３２により固定してあり、図示の実施例の場合、一方の壁面６２側を固定した下側カーテン１の開閉端部２を下側のカーテン端固定部材１０と一体に連結し、支柱６５側を固定した上側カーテン１の開閉端部２を上側のカーテン端固定部材１０と一体に連結し、同様に、他方の壁面６３側を固定した上側カーテン１の開閉端部２を上側のカーテン端固定部材１０と一体に連結し、支柱６５側を固定した下側カーテン１の開閉端部２を下側のカーテン端固定部材１０と一体に連結してある。
【０００４】
なお、図７に記載のように、カーテン１の上下側には、カーテン開閉方向に沿ってガイドワイヤ１７が張設してあり、カーテン端固定部材１０に固定したクリップ３１，３２からカーテン寄せ部材１６をガイドワイヤ１７に掛け渡して、それぞれのカーテン１を、風等で吹きあがらないように、カーテン端固定部材１０と一体的に開閉することができるように構成してある。
【０００５】
従って、図７又は図８において、駆動ドラム５７が矢票Ｃ方向に回転すると、一方のワイヤ３０は矢票Ａ方向に、他方のワイヤ３０はその逆の矢票Ｂ方向に移動するのに伴って、上側と下側のカーテン１はそれぞれカーテン端固定部材１０が互いに接近して閉じ位置に向かって移動し、逆に、駆動ドラム５７が反矢票Ｃ方向に回転すると、一方のワイヤ３０は反矢票Ａ方向に、他方のワイヤ３０はその逆の反矢票Ｂ方向に移動することとなり、上側と下側のカーテン１は互いに離反して開き位置に向かって移動することとなる。
【０００６】
なお、上記従来の技術の説明で、図１に示した上側のカーテン駆動ワイヤ３０と下側のカーテン駆動ワイヤ３０とは、説明の便宜上、理解しやすいように、上下側に分けて、上側のカーテン駆動ワイヤ３０の上側に上側のカーテン１を設置し、下側のカーテン駆動ワイヤ３０の下側に下側のカーテン１を設置して互いに接近して閉鎖し遠ざかって開放するように示してあるが、図８から明らかなように、滑車５３，５６を同一高さにし、滑車５４，５５を同一高さに設けることにより、それぞれ上側下側と称していたカーテン駆動ワイヤ３０は同一高さで平行
し、互いに反対方向に移動する構成である。
【０００７】
【発明が解決しようとする課題】
上記の従来の技術において、本発明は、下側のカーテン１を上側のカーテン１と同様にカーテン駆動ワイヤ３０の上方に設置して、上側と下側のカーテン１を同一平面上で開閉するカーテンとして、それぞれカーテン端固定部材１０が互いに接近して密着して閉じ、離反して開放するように構成した温室カーテン等の開閉装置において、図４に記載のような、例えば、カーテン支持部材１３を支持するため温室骨組材２２に懸架部材２３で懸架した支持梁部材１４の位置に、互いに平行し反対方向に移動するカーテン駆動ワイヤ３０の滑車を設けた温室カーテン等の吊り滑車装置を提供しようとするものである。
【０００８】
【課題を解決するための手段】
そこで、本発明は、カーテン駆動ワイヤを案内する滑車の滑車軸を中空状に設け、中空状の滑車軸に温室骨組材に懸架されるべき支持梁部材を挿通してなる温室カーテン等の吊り滑車装置を提供するものである。
本発明によれば、温室骨組材２２に懸架されるべき支持梁部材１４を、カーテン駆動ワイヤを案内する滑車の滑車軸に挿通せしめることができると共に、支持梁部材と同軸に滑車を設けてカーテン駆動ワイヤを案内することができる。
【０００９】
また、本発明は、請求項１に記載の温室カーテン等の吊り滑車装置において、滑車軸を懸架して滑車と支持梁部材を同時に懸架してなる温室カーテン等の吊り滑車装置を提供するものである。
本発明によれば、温室骨組材２２に滑車を懸架することにより、同軸的に支持梁部材を同時に懸架することができる。
また、本発明は、請求項１又は２に記載の温室カーテン等の吊り滑車装置において、滑車軸と、滑車軸の軸支持部と、その両側の滑車を上方から覆う吊り滑車枠体を設けてなる温室カーテン等の吊り滑車装置を提供するものである。
本発明によれば、吊り滑車枠体によって、滑車軸と、滑車軸の軸支持部と、その両側の滑車を上方から覆うことができる。
【００１０】
また、本発明は、請求項１、２又は３に記載の温室カーテン等の吊り滑車装置において、滑車軸を懸架する懸架枠体を薄板状に構成し、カーテン駆動ワイヤを案内する滑車の滑車軸をカーテン閉鎖位置に設けてなる温室カーテン等の吊り滑車装置を提供するものである。
本発明によれば、薄板状の懸架枠体により滑車軸を懸架すると共に、滑車軸がカーテン閉鎖位置にあることから、閉鎖するカーテンが薄板状の懸架枠体を挟んで閉鎖することによって、カーテンの密閉性を高めることができる。
【００１１】
また、本発明は、請求項４に記載の温室カーテン等の吊り滑車装置において、カーテン端部に弾力性のあるカーテン端部材を設け、カーテン端部材が薄板状の懸架枠体を間に互いに弾力的に密着して閉じるように構成してなる温室カーテン等の吊り滑車装置を提供するものである。
本発明によれば、弾力性のあるカーテン端部材が薄板状の懸架枠体を間に互いに弾力的に密着して閉じることにより、カーテンの密封性を高めることができる。
【００１２】
【発明の実施の形態】
以下図示する実施例に基づいて本発明の実施の態様を説明する。
図１において、１は互いに接近して閉じ、互いに遠ざかって開く温室等のカーテンで、そのカーテン端部２はカーテン端固定部材１０のカーテン端部固定部１１に取り付けてある。
実施例の場合、カーテン端固定部１１は円管状をなし、これにカーテン端部２を巻き付けて、図４又は図５に記載のごとく、Ｃ字型の固定具１２を外周から弾力的に嵌着して一体的に固定してある。
【００１３】
カーテン端固定部材１０は、実施例の場合、図４に記載のように、中央部に支持枠体１５を有し、カーテン開閉方向に張設したガイドワイヤ１７を挿通したカーテン寄せ部材１６を前記支持枠体１５に嵌着して、カーテン端固定部材１０をガイドワイヤ１７に懸架してカーテン開閉方向に円滑に移動すると共に、カーテン開放時にカーテン寄せ部材１６によりカーテン１をカーテン駆動ワイヤ３０とガイドワイヤ１７との間に寄せ集めることができるように構成してある。
【００１４】
実施例の場合、本発明に係るカーテン端部材３は、適宜な弾力性を有する中空パイプ状部材からなり、図１に記載のように、カーテン端固定部材１０のカーテン端部固定部１１とは反対側の取付枠部１８に一体に取り付けてある。４はカーテン端部材３の一側部に沿って設けた凸字形状の取付部で、前記取付枠部１８に嵌着して取り付けてある。
【００１５】
図５は、カーテン１を開閉するためカーテン開閉方向に沿って開閉移動するカーテン駆動ワイヤ３０とカーテン端固定部材１０を連結する連結手段の一実施例を示すもので、カーテン駆動ワイヤ３０に一体に固定される雄型・雌型のクリップ装置３１，３２の連結枠部３３と、カーテン端固定部材１０の支持枠体１５の中心枠１９とをボルト・ナット３４，３５等からなる連結部材で一体に連結してある。
この場合、連結枠部３３の固定枠３６と支持枠体１５とを突き合わせて、弾力スペースを形成して連結枠部３３と支持枠体１５をボルト・ナット３４，３５等からなる連結部材で弾力的に固定することにより、緩みのない強固な連結状態が得られることとなる。
【００１６】
クリップ装置３１，３２は、前記連結枠部３３を一体に具備する雄型クリップ３１と、これに嵌着する雌型クリップ３２とからなり、雄型クリップ３１には、カーテン駆動ワイヤ３０と平行する中央の平行溝部３８と、その両側の連結突起部３７を有する蛇行溝部３９とを有するワイヤ嵌合溝４０を設けてあると共に、中央の平行溝部３８の縁側には雄型クリック突起枠４１が設けてあり、雌型クリップ３２には、連結突起部３７と一体に嵌合する嵌合孔４２が設けてあると共に、雄型クリック突起枠４１と一体に嵌合する雌型クリック孔枠４３が設けてある。
【００１７】
４４は雌型クリック孔枠４３の縁辺部に設けた嵌合段部で、雄型クリック突起枠４１が抜け落ちないように強固に嵌合するように構成してある。また、雄型クリック突起枠４１の外側には弾性変形補助孔４５が設けてあり、雄型クリック突起枠４１が相当の剛性を有する部材からなるにもかかわらず弾性変形しやすい構成にしてある。
【００１８】
上記の構成において、図５に記載のように、雄型クリップ３１のワイヤ嵌合溝４０にカーテン駆動ワイヤ３０を挿通して、雌型クリップ３２を、連結突起部３７に嵌合孔４２が、雄型クリック突起枠４１に雌型クリック孔枠４３が、それぞれ合致するように嵌合することによって、クリップ装置３１，３２をカーテン駆動ワイヤ３０の任意の位置に固定して、カーテン１を開閉自在に取り付けることができる。
【００１９】
カーテン端部材３は中空部５を有することにより、軽量で密着表面積の大きい密着面を構成でき、図１に記載のように、カーテン閉鎖位置において、互いに密着して、カーテン１を完全に密封することが可能である。なお、図６に記載の如く、懸架部材２３が設けてある部分はこれを挟んで密着することは勿論であり、そのため、懸架部材２３は薄い板状体で構成することが好ましい。
【００２０】
また、カーテン端部材３の中空部５内にパイプ状、網目状、又は実心状等の弾性部材を挿入して、カーテン端部材３の密着面の弾力性を適宜な強さに調整することも可能である。
なお、カーテン端固定部材１０の中央部に設けた支持枠体１５は必須の構成ではなく、カーテン端部固定部１１に直接にカーテン端部材３を一体に設けることができることは勿論である。
【００２１】
なお、図６の場合は、カーテン開放時にカーテン寄せ部材１６によりカーテン１をカーテン支持部材１３とガイドワイヤ１７との間に寄せ集めることができるように構成してある。
上記の構成において、本発明は、温室骨組材２２により懸架された支持梁部材１４に滑車を設けて、カーテン駆動ワイヤ３０を案内しようとする吊り滑車装置を提供するものである。
【００２２】
ここで、本発明は、上側と下側のカーテン１がそれぞれカーテン端固定部材１０が互いに接近して密着する閉じ位置において、図１に記載のように、温室骨組材２２により懸架された支持梁部材１４に滑車２５を設けて、図３に記載のカーテン駆動ワイヤ３０を案内し、薄い懸架枠体４８を挟んで固定端部材３を互いに密着させようとするものである。
【００２３】
図１乃至図３に記載の実施例において、２０は本発明に係る吊り滑車枠体で、底部側から滑車２５を装着することができるように、底部がスカート状若しくは釣り鐘状に開口しており、中央に軸受枠部２１を具備すると共にその両側に滑車カバー部２４を具備している。軸受枠部２１の中央上部には薄板状の懸架枠体４７，４８を挿通し得る挿通孔２１ａが設けてあると共に、挿通孔２１ａの一側辺部には固定枠部２９が突設してある。
【００２４】
懸架枠体４７，４８は、その底部に円管状の滑車軸２６を挿通し得る開閉円筒軸受部４６を一体に具備しており、開閉円筒軸受部４６に滑車軸２６を収容又は挿通して、懸架枠体４７，４８の下端部を合致させるようにして懸架枠体４７，４８を密着させると、開閉円筒軸受部４６が円管状に閉じてその内面において滑車軸２６を強固に固定することができるように構成してある。従って、開閉円筒軸受部４６、懸架枠体４７，４８は、板ばねのように、ばね弾性を有する一枚の板を屈曲して一体に成形することが好ましい。
【００２５】
開閉円筒軸受部４６に滑車軸２６を収容して、懸架枠体４７，４８の下端部を合致させるようにして懸架枠体４７，４８を密着させて、滑車軸２６を強固に保持した状態で、懸架枠体４７，４８を挿通孔２１ａに挿通して軸受枠部２１の中央上方に突出させて、固定枠部２９の取付溝４９にボルト・ナット等からなる固定部材５０により一体に固定してある。
また、図２において、５１は支持梁部材１４と滑車軸２６と開閉円筒軸受部４６を一体に固定する固定ボルトで、滑車軸２６又は開閉円筒軸受部４６の底部に設けたネジ孔５３に螺合するように設けてあり、滑車軸２６に挿通した支持梁部材１４を一体的に固定するように構成してある。
【００２６】
５２は、一方の懸架枠体４７より長く設けた懸架枠体４８に懸架部材２３に高さ調整して連結するために設けた複数個の連結孔である。
本発明に係る吊り滑車装置本体２０は、開閉円筒軸受部４６により滑車軸２６の中央部を支持し、滑車軸部２６の両側に滑車２５を回転自在に装着して、懸架枠体４７，４８を密着するように合致させて、軸受枠部２１の挿通孔２１ａを挿通させ、開閉円筒軸受部４６の上面を軸受枠部２１に密着させると、滑車２５は軸受枠部２１の両側の滑車カバー部２４に周囲を覆われて装着されるように構成してある。
【００２７】
滑車カバー部２４の内側枠部２４ａと外側枠部２４ｂは、滑車軸２６の上面部を軸受していると共に、その下側のスカート枠部２７は滑車軸２６の両端部の挿入ガイド枠として作用するように軸方向に膨出して設けてある。また、滑車カバー部２４の内側枠部２４ａと外側枠部２４ｂとの中間は、滑車２５のほぼ上方１８０°の角度に渡って、ワイヤ挿通溝２４ｃを設けてあり、図１に記載のように、両側の滑車２５に掛け渡した２本のカーテン駆動ワイヤ３０を、円滑に案内するように構成してある。
【００２８】
また、滑車カバー部２４は、滑車軸２６の軸方向に挿通孔２８が設けてあり、円管状の滑車軸２６を貫通する支持梁部材１４を支持し、温室骨組材２２により懸架された支持梁部材１４に滑車２５を設けて、図１又は図５に記載のカーテン駆動ワイヤ３０を案内し、薄い懸架枠体４８を挟んでカーテン開閉端部の固定端部材３を互いに密着させることができるように構成してある。
【００２９】
【発明の効果】
以上の通り、本発明に係る温室カーテン等の吊り滑車装置によれば、カーテン駆動ワイヤを案内する滑車の滑車軸を中空状に設け、中空状の滑車軸に温室骨組材に懸架されるべき支持梁部材を挿通してなる構成を有することにより、温室骨組材に懸架されるべき支持梁部材を、カーテン駆動ワイヤを案内する滑車の滑車軸に挿通せしめることができると共に、支持梁部材と同軸に滑車を設けてカーテン駆動ワイヤを案内することができるから、温室の支持梁部材と同軸位置に滑車を設けて、カーテン駆動ワイヤを案内することができる効果がある。
【００３０】
また、本発明は、請求項１に記載の温室カーテン等の吊り滑車装置において、滑車軸を懸架することにより滑車と支持梁部材を同時に懸架してなる構成を有するから、温室骨組材に滑車を懸架することにより、同時に同軸的に支持梁部材を懸架することができる効果がある。
また、本発明は、請求項１又は２に記載の温室カーテン等の吊り滑車装置において、滑車軸と、滑車軸の軸支持部と、その両側の滑車を上方から覆う吊り滑車枠体を設けてなる構成を有することにより、吊り滑車枠体によって、滑車軸と、滑車軸の軸支持部と、その両側の滑車をカーテン等が巻き込まれないように上方から覆うことができる効果がある。
【００３１】
また、本発明は、請求項１、２又は３に記載の温室カーテン等の吊り滑車装置において、滑車軸を懸架する懸架枠体を薄板状に構成し、カーテン駆動ワイヤを案内する滑車の滑車軸をカーテン閉鎖位置に設けてなる構成を有することにより、薄板状の懸架枠体により滑車軸を懸架すると共に、滑車軸がカーテン閉鎖位置にあることから、閉鎖するカーテンが薄板状の懸架枠体を挟んで閉鎖することによって、カーテンの密閉性を高めることができる効果がある。
また、本発明は、請求項４に記載の温室カーテン等の吊り滑車装置において、カーテン端部に弾力性のあるカーテン端部材を設け、カーテン端部材が薄板状の懸架枠体を間に互いに弾力的に密着して閉じるように構成してなる構成を有することにより、弾力性のあるカーテン端部材が薄板状の懸架枠体を間に互いに弾力的に密着して閉じることにより、カーテンの密封性を高めることができる効果がある。
【図面の簡単な説明】
【図１】  本発明の一実施例の要部を概略して示す縦断正面図。
【図２】  その一実施例の要部を縦断して示す縦断側面図。
【図３】  本発明の一実施例の要部を示す斜面図。
【図４】  本発明の一実施例の要部を概略して示す斜面図。
【図５】  本発明の一実施例の要部を概略して示す縦断正面図。
【図６】  本発明を説明するための概略説明図。
【図７】  従来の技術の一実施例の要部を概略して示す説明図。
【図８】  従来の技術の一実施例の要部を概略して示す斜面図。
【符号の説明】
１      カーテン
２      カーテン端部
３      カーテン端部材
４      取付部
５      中空部
１０    カーテン端固定部材
１１    カーテン端固定部
１２    固定具
１３    カーテン支持部材
１４    支持梁部材
１５    支持枠体
１６    カーテン寄せ部材
１７    ガイドワイヤ
１８    取付枠部
１９    中心枠
２０    吊り滑車枠体
２１    軸受枠部
２１ａ    挿通孔
２２    温室骨組材
２３    懸架部材
２４    滑車カバー部
２４ａ    内側枠部
２４ｂ    外側枠部
２４ｃ    ワイヤ挿通溝
２５    滑車
２６    滑車軸
２７    スカート枠部
２８    挿通孔
２９    固定枠部
３０    カーテン駆動ワイヤ
３１    雄型クリップ(クリップ装置)
３２    雌型クリップ(クリップ装置)
３３    連結枠部
３４    ボルト
３５    ナット
３６    固定枠
３７    連結突起部
３８    平行溝部
３９    蛇行溝部
４０    ワイヤ嵌合溝
４１    雄型クリック突起枠
４２    嵌合孔
４３    雌型クリック孔枠
４４    嵌合段部
４５    弾性変形補助孔
４６    開閉円筒軸受部
４７，４８    懸架枠体
４９    取付溝
５０    固定部材
５１    固定ボルト
５２    連結孔
５３    中継滑車
５４    中間滑車
５５    中間滑車
５６    中継滑車
５７    駆動ドラム
５８    軸受
５９    軸受部材
６０    カーテン駆動軸
６１    温室
６２    壁面
６３    壁面
６４    滑車
６５    支柱
【図１】
0004778137.tif 000002
【図２】
0004778137.tif 000003
【図３】
0004778137.tif 000004
【図４】
0004778137.tif 000005
【図５】
0004778137.tif 000006
【図６】
0004778137.tif 000007
【図７】
0004778137.tif 000008
【図８】
0004778137.tif 000009